(57)【要約】【課題】  本発明は木造建築における軽量な壁パネル３が現場施工により迅速簡便かつ安価に得られ、壁パネル施工能率を向上し、木造建築の工期を短縮するばかりでなく、接着材を使わず衛生的な施工を行い、かつ解体容易で、しかも分別解体により木質と合成樹脂との分別回収を行い得て廃棄物の再利用に適した建築用パネルを得ることを目的とする。【解決手段】  角柱１と上下の角横材２によって囲まれる方形空間ｓを閉鎖するパネル３であって、上記方形空間５に嵌め込む合成樹脂発泡断熱板４の内外面に交互千鳥位置に上端から下端に至る有底溝４’が設けられ、上記断熱板４の外面に接し上記空間ｓを閉鎖する方形板材５と、該断熱板４の内面中央部を支持する上下方向に長い補強用木質板６とよりなる建築用パネル。【選択図】  図１
2005042470.tif 000002
【特許請求の範囲】
【請求項１】
角柱と上下の角横材によって囲まれる方形空間を閉鎖するパネルであって、
上記方形空間に嵌め込む合成樹脂発泡断熱板の内外面に交互千鳥位置に上端から下端に至る有底溝が設けられ、
上記断熱板の外面に接し上記空間を閉鎖する方形板材と、
該断熱板の内面中央部を支持する上下方向に長い補強用木質板とよりなる建築用パネル。
【請求項２】
上記木質板の内面に接する内装板とよりなる請求項１記載の建築用パネル。
【請求項３】
上記断熱板の外面から上記木質板の内面までの厚さが上記角柱及び上下の角横材の内外面間の幅と同一又はほぼ同一である請求項１記載の建築用パネル。
【請求項４】
上記厚さが上記幅より小である請求項１記載の建築用パネル。
【請求項５】
角柱と上下の角横材によって囲まれる方形空間内に、
内外面に交互千鳥位置に上端から下端に至る有底溝を形成した合成樹脂発泡断熱板の横幅を圧縮して、両側面を左右の上記角柱の対向内側面に圧着して該断熱板で上記空間を閉鎖し、
その後上記断熱板の外面に接して方形板材の外周部内面を角柱及び上下の角横材の外面に釘着し、
上記断熱板の内面中央部を上下方向に長い補強用木質板で支持し、
該木質板の内面に内装板を支持することを特徴とする建築用パネル施工法。
【発明の詳細な説明】
【技術分野】
【０００１】
本発明は角柱間及び上下の角横材によって囲繞される方形空間を閉鎖する建築用パネルに関するものである。
【背景技術】
【０００２】
従来、木造建築用壁パネルは角柱と上下の角横材によって囲まれる方形空間を閉鎖するため、該空間に嵌合する合成樹脂発泡断熱板の外面に方形板材を接着したパネルが用いられた（例えば特許文献１）。
【０００３】
上記パネルは上記断熱板の製造に採寸、切断、接着剤による接着等の煩雑で精密工程を要しパネル工事の能率をあげることが困難で多くの人件費を要し、かつ接着剤の揮発分により健康を害するという欠陥があった。
【０００４】
又、家屋解体に際し、木材と合成樹脂発泡断熱板との分離が困難で廃棄物分別処理が困難で、廃棄物の再利用に多くの工程と労力を要し、かつ非衛生的であった。
【０００５】
【特許文献１】特開２００２−３３９５０１号公報
【発明の開示】
【発明が解決しようとする課題】
【０００６】
本発明は木造建築における軽量な壁パネルが現場施工により迅速簡便かつ安価に得られ、壁パネル施工能率を向上し、木造建築の工期を短縮するばかりでなく、接着材を使わず衛生的な施工を行い、かつ解体容易で、しかも分別解体により木質と合成樹脂との分別回収を行い得て廃棄物の再利用に適した建築用パネルを得ることを目的とする。
【課題を解決するための手段】
【０００７】
上記の目的を達成するため本発明は
第１に角柱と上下の角横材によって囲まれる方形空間を閉鎖するパネルであって、上記方形空間に嵌め込む合成樹脂発泡断熱板の内外面に交互千鳥位置に上端から下端に至る有底溝が設けられ、上記断熱板の外面に接し上記空間を閉鎖する方形板材と、該断熱板の内面中央部を支持する上下方向に長い補強用木質板とよりなる建築用パネル、
第２に上記木質板の内面に接する内装板とよりなる上記第１発明記載の建築用パネル、
第３に上記断熱板の外面から上記木質板の内面までの厚さが上記角柱及び上下の角横材の内外面間の幅と同一又はほぼ同一である上記第１発明記載の建築用パネル、
第４に上記厚さが上記幅より小である上記第１発明記載の建築用パネル、
第５に角柱と上下の角横材によって囲まれる方形空間内に、内外面に交互千鳥位置に上端から下端に至る有底溝を形成した合成樹脂発泡断熱板の横幅を圧縮して、両側面を左右の上記角柱の対向内側面に圧着して該断熱板で上記空間を閉鎖し、その後上記断熱板の外面に接して方形板材の外周部内面を角柱及び上下の角横材の外面に釘着し、上記断熱板の内面中央部を上下方向に長い補強用木質板で支持し、該木質板の内面に内装板を支持することを特徴とする建築用パネル施工法、
によって構成される。
【発明の効果】
【０００８】
本発明は上述のように木造建築における角柱と上下の角横材とによって囲繞される方形空間を閉鎖する施工において、合成樹脂発泡断熱板を方形空間内に嵌合し、その外側に一体の方形板材の外周部を該角柱及び上下の角横材の外面に接触し釘着等で支持するだけで、木質板の内面に内装材を装着可能状態となし得て簡便に上記パネルを施工し得るばかりでなく、接着剤を使用せず衛生的施工が可能で、かつ木質と合成樹脂との分別解体が容易であって、廃棄物処理を容易に行い得る効果がある。
【０００９】
又木質板の内面に内装材を装着して洋室又は和室双方の施工が可能であり、しかも着脱自在に接触した方形板、断熱板及び木質板によるパネルを工場でプレカットにより別々に製造し現場において安価で軽量な建築用パネルを得ることができる。
【発明を実施するための最良の形態】
【００１０】
木造建築物では土台８上に基礎角横材２を配設し、モジュール間隔毎に角柱１，１が立設され、該角柱１，１のモジュール水準位置に上部角横材２が架設される（図４）。
【００１１】
上記間隔を保つ角柱１，１と上下の上記角横材２，２とによって囲繞される方形空間ｓはパネル３によって閉鎖される。
【００１２】
上記パネル３は方形の合成樹脂発泡断熱板４と外壁を形成する方形板材５と、上記断熱板４の内面中央部補強用木質板６及び又は該木質板６の内面に接する内装板７とよりなる。
【００１３】
上記断熱板４の内外面には図１（イ）（ロ）図及び図２に示すように一定間隔毎に該断熱板４の上端から下端に至る複数の有底溝４’，４’を設ける（形成する）。
【００１４】
外面側の上記有底溝４’は内面側の隣接する２個の上記有底溝４’，４’の中央部に位置し、内外面交互に千鳥位置に形成される。該溝４’，４’の深さは上記断熱板４の厚さの中程に至る深さとする。
【００１５】
合成樹脂発泡断熱板４にはスチレン系独立気泡発泡体によるものは軽いが腰が強いため広い方形空間ｓに直立させるため適している。これに対し、エチレン系連通気泡発泡体では吸水性を有し腰が弱いが、狭い方形空間には利用し得る。
【００１６】
従って広い上記空間ｓでは上記断熱板４は独立発泡体である発泡スチロール板を用いると良い。
【００１７】
従って上記空間ｓの高さとほぼ同一高さの上記断熱板４の横幅を角柱１，１の間隔よりも適当に長く切取り、工場又は倉庫に格納する。
【００１８】
又上記方形空間ｓは建築モジュールでは、その高さ及び横幅は一定であり、該空間ｓの高さ及び横幅より釘代分だけ高くかつ長い方形板材５が工場で製造され格納される。
【００１９】
又上記断熱板４の内面中央部を直立に支持する上下方向に長く、かつ上記空間ｓの高さとほぼ同一高さの補強用木質板６を工場で製造し、格納して置く。
【００２０】
上記木質板６には合板又は木質繊維ボード等が用いられる。
【００２１】
上記断熱板４の外面から上記木質板６の内面までの厚さｔは洋風室では図１（イ）図及び図３に示すよう上記角柱１及び上下の角横材２の内外面間の幅ｗと同一又はほぼ同一とする。
【００２２】
又和風室では図１（ロ）図に示すように上記厚さｔは上記幅ｗよりも少なくとも内装板７の厚さｐだけ小とする。洋風室の壁には角柱１を露出せず、和風室では角柱１を露出することになる。
【００２３】
即ち上記木質板６の内面に接して上記内装板７を図１（イ）（ロ）図に示すよう洋室又は和室に装着するものである。
【００２４】
従って工場又は倉庫に格納された上記合成樹脂発泡断熱板４、上記方形板材５、補強用木質板６及び上記内装板７を建築現場に搬入し、
先ず上記断熱板４を両側面４”，４”から中心に向って矢印ａ，ａ’方向に横幅を圧縮して、これを上記方形空間ｓ内に挿入し、該圧縮を解放し、両側面４”，４”を左右の上記角柱１，１の対向内側面１’，１’に弾力によって圧着支持し、該空間ｓを閉鎖する。
【００２５】
又複数の有底溝を横方向に内外面に千鳥位置に形成し圧縮して上記断熱板４の上下端面を横角材２，２に圧着することができる（図示せず）。
【００２６】
その後、該断熱板４の外面に接して上記方形板材５の外周部５’の内面を角柱１，１及び上下の角横材２，２のそれぞれ外面に釘着５”して図４、図５（イ）（ロ）図に示す外壁面を形成する。
【００２７】
そして上記断熱板４の内面中央部に上下方向に長い上記補強用木質板６を当て、該木質板６の上下端から上下角横材２，２に向って斜上及び斜下に釘９を打込むことによって該木質板６の上下端を上下角横材２，２に固定する（図３）。
【００２８】
さらに上記木質板６の内面に合板、石膏ボード等による内装板７を釘着支持する。釘着は化粧紙糊着前に行う。
【００２９】
家屋解体に際しては方形板材５、上記断熱板４、補強用木質板６さらに内装板７を別々に分離し、材質毎に分別回収することができる。
【００３０】
尚図１（ロ）図中１０は外装板７の受板である。
【図面の簡単な説明】
【００３１】
【図１】（イ）図は本発明の建築用パネルの横断平面図、（ロ）図は和風室における上記パネルの横断平面図である。
【図２】合成樹脂発泡断熱板の一部拡大横断平面図である。
【図３】図１の縦断側面図である。
【図４】上記パネル装着状態の外面図である。
【図５】（イ）（ロ）図は図４の一部拡大図である。
【符号の説明】
【００３２】
１      角柱
１’    対向内側面
２      角横材
ｓ      方形空間
３      パネル
４      合成樹脂発泡断熱板
４’    有底溝
５      方形板材
５’    外周部
６      補強用木質板
７      内装板
ｔ      厚さ
ｗ      幅
【図１】
2005042470.tif 000003
【図２】
2005042470.tif 000004
【図３】
2005042470.tif 000005
【図４】
2005042470.tif 000006
【図５】
2005042470.tif 000007